(57)【要約】【課題】  薬剤の使い切りや変更等への対応及び薬剤の供給に好適な眼用器具を提供する。【解決手段】  薬剤供給補助具１０は、眼球の表面上で流動する薬剤が流入可能な開口及びその薬剤を貯留可能な内空を有する貫通孔であるプール１９ａ〜１９ｇが、装着時に角膜２４に位置する領域の外周に沿って複数形成されている。複数のプール１９ａ〜１９ｇは周方向に均等に配置されている。また、装着時に上眼瞼裏側に位置するプール１９ａ、１９ｂの数が下眼瞼裏側に位置するプール１９ｅの数よりも多い。さらに、装着時に下眼瞼裏側に位置するプール１９ｅの容量が上眼瞼裏側に位置するプール１９ａ、１９ｂの各容量よりも大きい。【選択図】  図２
0003219976.tif 000002
【実用新案登録請求の範囲】
【請求項１】
眼に装着可能な眼用器具であって、
装着時に上眼瞼裏側に位置する領域及び下眼瞼裏側に位置する領域に、薬剤を貯留可能な領域を有するプールがそれぞれ形成され、上眼瞼裏側に位置する前記プールの数が下眼瞼裏側に位置する前記プールの数よりも多いことを特徴とする眼用器具。
【請求項２】
眼に装着可能な眼用器具であって、
装着時に上眼瞼裏側に位置する領域及び下眼瞼裏側に位置する領域に、薬剤を貯留可能な領域を有するプールがそれぞれ形成され、下眼瞼裏側に位置する前記プールの容量が上眼瞼裏側に位置する前記プールの容量よりも大きいことを特徴とする眼用器具。
【請求項３】
眼球の表面形状に沿った球面形状の眼用器具であって、
装着時に上眼瞼裏側に位置する領域及び下眼瞼裏側に位置する領域に、薬剤を貯留可能な領域を有するプールがそれぞれ形成され、上眼瞼裏側に位置する前記プールの数が下眼瞼裏側に位置する前記プールの数よりも多いことを特徴とする眼用器具。
【請求項４】
眼球の表面形状に沿った球面形状の眼用器具であって、
装着時に上眼瞼裏側に位置する領域及び下眼瞼裏側に位置する領域に、薬剤を貯留可能な領域を有するプールがそれぞれ形成され、下眼瞼裏側に位置する前記プールの容量が上眼瞼裏側に位置する前記プールの容量よりも大きいことを特徴とする眼用器具。
【請求項５】
眼球の表面形状に沿った球面形状の眼用器具であって、
装着時に上眼瞼裏側に位置する領域及び下眼瞼裏側に位置する領域に、薬剤を貯留可能な領域を有するプールがそれぞれ形成され、上眼瞼裏側に位置する前記プールの数が下眼瞼裏側に位置する前記プールの数よりも多く、且つ、下眼瞼裏側に位置する前記プールの容量が上眼瞼裏側に位置する前記プールの容量よりも大きいことを特徴とする眼用器具。
【請求項６】
請求項２、４及び５のいずれか１項において、
下眼瞼裏側に位置する１又は複数の前記プールの総容量が上眼瞼裏側に位置する１又は複数の前記プールの総容量よりも大きいことを特徴とする眼用器具。
【請求項７】
請求項１乃至６のいずれか１項において、
前記プールは、薬剤が流入可能な開口及び当該薬剤を貯留可能な領域を有することを特徴とする眼用器具。
【請求項８】
請求項１乃至６のいずれか１項において、
前記プールは、薬剤が挿入可能な開口並びに当該薬剤を設置及び貯留可能な領域を有することを特徴とする眼用器具。
【請求項９】
請求項１乃至８のいずれか１項において、
前記プールは、装着時に角膜に位置する領域の外周に沿って形成されていることを特徴とする眼用器具。
【請求項１０】
請求項９において、
装着時に角膜に位置する領域を開口する孔が形成されていることを特徴とする眼用器具。
【考案の詳細な説明】
【技術分野】
【０００１】
本考案は、眼用器具、薬剤供給眼用器具及び眼用装着物に係り、特に、薬剤の使い切りや変更等への対応及び薬剤の供給に好適な眼用器具、薬剤供給眼用器具及び眼用装着物に関する。
【背景技術】
【０００２】
従来、例えば、特許文献１、２記載のコンタクトレンズ及び特許文献３記載の眼用器具が知られている。
【０００３】
特許文献１記載のコンタクトレンズは、原料樹脂内に薬剤を混入したコンタクトレンズであって、装用すると眼に薬用効果を与えるものである。
【０００４】
特許文献２記載のコンタクトレンズは、薬剤を充填した小空間を２枚のコンタクトレンズの間に形成し、小空間から外部に薬剤の成分を通過させるための孔を内面側のコンタクトレンズに形成したものである。
【０００５】
特許文献３記載の眼用器具は、薬剤を眼の構造に対して適所に保持する骨格として機能する第１の構造物を備え、第１の構造物である芯材３２の周縁に薬剤３１を形成したものである（同文献〔００１６〕〔００１７〕及び図２−２、図２−３）。同文献図４−２の構造も同様に、第１の構造物である芯材５０、５２の周縁に薬剤を形成したものである。
【先行技術文献】
【特許文献】
【０００６】
【特許文献１】特公昭４８−９９９１号公報
【特許文献２】米国特許出願公開第２００６／０２９０８８２号明細書
【特許文献３】特表２０１２−５２８６９５号公報
【考案の概要】
【考案が解決しようとする課題】
【０００７】
しかしながら、特許文献１記載のコンタクトレンズにあっては、薬剤を使い切った場合は、コンタクトレンズとしての光学的な機能が損なわれていないのに交換を余儀なくされることがある。また、他の薬剤を用いたい場合も、他の薬剤を混入した新たなコンタクトレンズを用意しなければならない。
【０００８】
特許文献２記載のコンタクトレンズにあっては、小空間に薬剤を充填したものであるので、薬剤を使い切った場合や他の薬剤を用いたい場合は、特許文献１記載のコンタクトレンズと同様の問題があった。
【０００９】
特許文献３記載の眼用器具にあっては、芯材の周縁に薬剤を形成したものであるので、薬剤を使い切った場合や他の薬剤を用いたい場合は、特許文献１記載のコンタクトレンズと同様の問題があった。
【００１０】
一方、単に点眼するのでは、薬剤が涙点から排出されやすく、結膜や角膜等の部位に薬剤を効果的に供給することができない。
【００１１】
そこで、本考案は、このような従来の技術の有する未解決の課題に着目してなされたものであって、薬剤の使い切りや変更等への対応及び薬剤の供給に好適な眼用器具、薬剤供給眼用器具及び眼用装着物を提供することを目的としている。
【課題を解決するための手段】
【００１２】
〔考案１〕  上記目的を達成するために、考案１の眼用器具は、眼に装着可能な眼用器具であって、薬剤が流入可能な開口及び当該薬剤を貯留可能な領域を有するプールが、装着時に角膜に位置する領域の外周に沿って複数形成されている。
【００１３】
このような構成であれば、例えば点眼薬を点眼すると、薬剤が開口から流入し、複数のプールに貯留される。貯留された薬剤は、時間をかけて結膜や角膜等の部位にその成分が供給される。
【００１４】
ここで、眼用器具を眼に装着する態様としては、眼用器具を眼に直接装着すること、眼との間に１又は複数の媒体（例えば、部材）を介在させて眼用器具を眼に間接的に装着することが含まれる。以下、考案３、１４及び１５の眼用器具、並びに考案１１及び１２の薬剤供給眼用器具において同じである。
【００１５】
また、眼用器具は、人又は動物の眼球に装着可能な器具として、より具体的には、眼球に形状適合性を有する曲面状又は眼球の表面形状に沿った球面形状の器具として構成することができる。以下、考案３、１４及び１５の眼用器具、並びに考案１１及び１２の薬剤供給眼用器具において同じである。
【００１６】
また、眼用器具としては、例えば、眼用デバイス、薬剤供給補助具及び矯正具が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、考案３、１４及び１５の眼用器具、並びに考案１１及び１２の薬剤供給眼用器具において同じである。
【００１７】
〔考案２〕  さらに、考案２の眼用器具は、考案１の眼用器具において、前記プールは、薬剤が流入可能な開口及び当該薬剤を貯留可能な内空を有する孔である。
【００１８】
〔考案３〕  さらに、考案３の眼用器具は、眼に装着可能な眼用器具であって、薬剤が挿入可能な開口並びに当該薬剤を設置及び貯留可能な領域を有するプールが、装着時に角膜に位置する領域の外周に沿って複数形成されている。
【００１９】
このような構成であれば、例えば軟膏薬をプールに塗布すると、複数のプールに薬剤が貯留される。貯留された薬剤は、時間をかけて結膜や角膜等の部位にその成分が供給される。
【００２０】
〔考案４〕  さらに、考案４の眼用器具は、考案３の眼用器具において、前記プールは、薬剤が挿入可能な開口並びに当該薬剤を設置及び貯留可能な内空を有する孔である。
【００２１】
〔考案５〕  さらに、考案５の眼用器具は、考案１乃至４のいずれか１の眼用器具において、装着時に上眼瞼裏側に位置する前記プールの数が下眼瞼裏側に位置する前記プールの数よりも多い。
【００２２】
〔考案６〕  さらに、考案６の眼用器具は、考案１乃至５のいずれか１の眼用器具において、装着時に下眼瞼裏側に位置する前記プールの容量が上眼瞼裏側に位置する前記プールの容量よりも大きい。
【００２３】
〔考案７〕  さらに、考案７の眼用器具は、考案１乃至６のいずれか１の眼用器具において、装着時に角膜の右方又は左方の結膜に位置する領域に前記プールが形成されている。
【００２４】
〔考案８〕  さらに、考案８の眼用器具は、考案１乃至７のいずれか１の眼用器具において、前記角膜に位置する領域の外周に沿って複数の前記プールが周方向に均等に配置されている。
【００２５】
〔考案９〕  さらに、考案９の眼用器具は、考案１乃至８のいずれか１の眼用器具において、装着時に眼瞼結膜又は眼球の表面が蓋となって前記開口が閉鎖される。
【００２６】
このような構成であれば、眼瞼結膜又は眼球の表面が蓋となってプールの開口が閉鎖され、プールに薬剤が貯留される。
【００２７】
〔考案１０〕  さらに、考案１０の眼用器具は、考案１乃至８のいずれか１の眼用器具において、第１挟持体及び第２挟持体で挟持され、前記第１挟持体又は前記第２挟持体が蓋となって前記開口が閉鎖される。
【００２８】
このような構成であれば、第１挟持体又は第２挟持体が蓋となってプールの開口が閉鎖され、プールに薬剤が貯留される。
【００２９】
〔考案１１〕  一方、上記目的を達成するために、考案１１の薬剤供給眼用器具は、眼に装着可能な眼用器具と、装着手段を有する薬剤とを備え、前記装着手段が前記眼用器具に装着して前記薬剤が前記眼用器具に装着される薬剤供給眼用器具であって、前記眼用器具は、前記装着手段が装着可能な領域を有し、前記薬剤が流入可能な開口及び当該薬剤を貯留可能な領域を有するプールが、装着時に角膜に位置する領域の外周に沿って複数形成されている。
【００３０】
このような構成であれば、装着手段が眼用器具に装着し、薬剤が眼用器具に装着される。装着された薬剤が溶け出すと、薬剤が開口から流入し、複数のプールに貯留される。貯留された薬剤は、時間をかけて結膜や角膜等の部位にその成分が供給される。
【００３１】
ここで、装着手段としては、例えば、眼用器具及び薬剤の一方（薬剤）に装着のための構成（例えば、吸盤構造）を設け、薬剤の当該構成が眼用器具に装着する構成として実現する場合、眼用器具及び薬剤の両方に装着のための構成（例えば、吸盤構造）を設け、それぞれが雄及び雌のように対応して装着する構成として実現する場合が含まれる。後者の場合は、薬剤に設けた装着のための構成が装着手段に対応する。以下、考案１２の薬剤供給眼用器具において同じである。
【００３２】
〔考案１２〕  さらに、考案１２の薬剤供給眼用器具は、眼に装着可能な眼用器具と、装着手段を有する薬剤とを備え、前記装着手段が前記眼用器具に装着して前記薬剤が前記眼用器具に装着される薬剤供給眼用器具であって、前記眼用器具は、前記薬剤が挿入可能な開口及び前記装着手段が装着可能で且つ前記薬剤が貯留可能な領域を有するプールが、装着時に角膜に位置する領域の外周に沿って複数形成されている。
【００３３】
このような構成であれば、薬剤を開口から挿入して装着手段がプールに装着し、薬剤が装着される。装着された薬剤が溶け出すと、複数のプールに薬剤が貯留される。貯留された薬剤は、時間をかけて結膜や角膜等の部位にその成分が供給される。
【００３４】
〔考案１３〕  さらに、考案１３の薬剤供給眼用器具は、考案１１及び１２のいずれか１の薬剤供給眼用器具において、前記装着手段は、被装着対象に吸着する吸着手段である。
【００３５】
このような構成であれば、吸着手段が眼用器具又はプールに吸着し、薬剤が装着される。
【００３６】
ここで、吸着とは、吸いつくことをいい、例えば、吸着箇所が外界よりも陰圧となって吸いつくことが含まれる。以下、吸着の概念については同じである。
【００３７】
また、吸着手段としては、例えば、眼用器具及び薬剤の一方（薬剤）に吸着のための構成（例えば、吸盤構造）を設け、薬剤の当該構成が眼用器具に吸着する構成として実現する場合、眼用器具及び薬剤の両方に吸着のための構成（例えば、吸盤構造）を設け、それぞれが雄及び雌のように対応して吸着する構成として実現する場合が含まれる。後者の場合は、薬剤に設けた吸着のための構成が吸着手段に対応する。
【００３８】
〔考案１４〕  一方、上記目的を達成するために、考案１４の眼用器具は、考案１１の薬剤供給眼用器具における前記薬剤を装着可能で且つ眼に装着可能な眼用器具であって、前記装着手段が装着可能な領域を有し、前記薬剤が流入可能な開口及び当該薬剤を貯留可能な領域を有するプールが、装着時に角膜に位置する領域の外周に沿って複数形成されている。
【００３９】
〔考案１５〕  さらに、考案１５の眼用器具は、考案１２の薬剤供給眼用器具における前記薬剤を装着可能で且つ眼に装着可能な眼用器具であって、前記薬剤が挿入可能な開口及び前記装着手段が装着可能で且つ前記薬剤が貯留可能な領域を有するプールが、装着時に角膜に位置する領域の外周に沿って複数形成されている。
【００４０】
〔考案１６〕  一方、上記目的を達成するために、考案１６の眼用装着物は、眼に装着可能な眼用装着物であって、薬剤が流入可能な開口及び当該薬剤を貯留可能な領域を有するプールが、装着時に角膜に位置する領域の外周に沿って複数形成されている。
【００４１】
ここで、眼用装着物を眼に装着する態様としては、眼用装着物を眼に直接装着すること、眼との間に１又は複数の媒体（例えば、部材）を介在させて眼用装着物を眼に間接的に装着することが含まれる。以下、考案１７の眼用装着物において同じである。
【００４２】
また、眼用装着物は、人又は動物の眼球に装着可能な物として、より具体的には、眼球に形状適合性を有する曲面状又は眼球の表面形状に沿った球面形状の物として構成することができる。以下、考案１７の眼用装着物において同じである。
【００４３】
また、眼用装着物としては、例えば、眼用デバイス、薬剤供給補助具、矯正具、薬剤、サプリメント及び磁性流体が含まれる。眼用デバイスとしては、例えば、（１）眼に対し情報の提供を行うデバイス、（２）眼に関する情報の収集を行うデバイス、（３）眼の外側に対し情報の提供を行うデバイス、（４）眼の外側に関する情報の収集を行うデバイス、（５）眼に対し機能の維持、回復若しくは付与又は作用を行うデバイス、及び（６）眼の外側に対し機能の付与又は作用を行うデバイスが含まれる。これらのうち（３）の機能としては、例えば、認証装置等に対し認証情報を投影する機能が挙げられる。また、眼用デバイスとしては、例えば、（１）光学デバイス（例えば、レンズ、光ファイバー、光導波路、光アイソレータ、半導体レーザ）、及び（２）電子デバイス（例えば、カメラ、投影機、センサ）が含まれる。以下、考案１７の眼用装着物において同じである。
【００４４】
〔考案１７〕  さらに、考案１７の眼用装着物は、眼に装着可能な眼用装着物であって、薬剤が挿入可能な開口並びに当該薬剤を設置及び貯留可能な領域を有するプールが、装着時に角膜に位置する領域の外周に沿って複数形成されている。
【考案の効果】
【００４５】
以上説明したように、考案１、３、１４若しくは１５の眼用器具、又は考案１１若しくは１２の薬剤供給眼用器具によれば、薬剤と眼用器具との組み合わせを選択又は変更等することができるので、従来に比して、薬剤の使い切りや変更等への対応が容易となる。また、プールに貯留された薬剤が時間をかけて供給されるので、長時間にわたって薬剤を供給することができる。さらに、角膜に位置する領域の外周に沿って複数のプールが形成されているので、角膜外側の部位に薬剤を効果的に供給することができるとともに、同一の領域を１つのプールで構成する場合に比して、薬剤の偏りが少なくなり、一部の部位に薬剤が供給されない可能性又は度合いを低減することができる。
【００４６】
さらに、考案５の眼用器具によれば、重力及び上眼瞼の動作等により上眼瞼裏側の方が下眼瞼裏側よりも薬剤がプールから溢れ出やすいので、上眼瞼裏側のプールの数を下眼瞼裏側のプールの数よりも多くすることで上眼瞼裏側の薬剤の貯留効率が低下する可能性を低減することができる。
【００４７】
さらに、考案６の眼用器具によれば、重力により及び瞬目の影響が少ないことにより下眼瞼裏側の方が上眼瞼裏側よりも薬剤が滞留しやすいので、下眼瞼裏側のプールの容量を上眼瞼裏側のプールの容量よりも大きくすることで薬剤が貯留されやすい。
【００４８】
さらに、考案７の眼用器具によれば、角膜の右方又は左方にプールが形成されているので、眼瞼裂に薬剤を効果的に供給することができる。
【００４９】
さらに、考案８の眼用器具によれば、角膜に位置する領域の外周に沿って複数のプールが周方向に均等に配置されているので、眼用器具が眼球の表面上で回転した場合、眼瞼や眼球のある箇所から一のプールが遠ざかっても他のプールが近づくことになり、回転による影響を低減することができる。
【００５０】
さらに、考案９の眼用器具によれば、眼瞼結膜又は眼球の表面が蓋となってプールの開口が閉鎖されるので、薬剤が貯留されやすい。
【００５１】
さらに、考案１０の眼用器具によれば、第１挟持体又は第２挟持体が蓋となってプールの開口が閉鎖されるので、薬剤が貯留されやすい。
【００５２】
さらに、考案１３の薬剤供給眼用器具によれば、吸着手段により薬剤が眼用器具に装着されるので、薬剤と眼用器具との組み合わせを選択又は変更等することができる。
【００５３】
一方、考案１６又は１７の眼用装着物によれば、プールに貯留された薬剤が時間をかけて供給されるので、長時間にわたって薬剤を供給することができる。また、角膜に位置する領域の外周に沿って複数のプールが形成されているので、角膜外側の部位に薬剤を効果的に供給することができるとともに、同一の領域を１つのプールで構成する場合に比して、薬剤の偏りが少なくなり、一部の部位に薬剤が供給されない可能性又は度合いを低減することができる。
【図面の簡単な説明】
【００５４】
【図１】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図２】薬剤供給補助具１０の使用方法を説明するための図であり、（ａ）は眼２０の正面図、（ｂ）は眼２０の縦断面図である。
【図３】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図４】薬剤供給補助具１０の使用方法を説明するための図であり、（ａ）は眼２０の正面図、（ｂ）は眼２０の縦断面図である。
【図５】薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【図６】薬剤供給補助具１０の使用方法を説明するための図であり、（ａ）は眼２０の正面図、（ｂ）は眼２０の縦断面図である。
【図７】薬剤４０の形状を示す図であり、（ａ）は薬剤４０の正面図、（ｂ）は正面からみた薬剤４０の斜視図、（ｃ）は背面からみた薬剤４０の斜視図、（ｄ）は（ａ）のＡ−Ａ線に沿った断面図である。
【図８】薬剤供給補助具１０の使用方法を説明するための図であり、（ａ）は眼２０の正面図、（ｂ）は眼２０の縦断面図である。
【図９】薬剤４０及び薬剤供給補助具１０の縦断面図である。
【図１０】薬剤４０、眼用アダプタ５０及び薬剤供給補助具１０の縦断面図である。
【図１１】薬剤４０、眼用アダプタ５０及び薬剤供給補助具１０の縦断面図である。
【図１２】コンタクトレンズ６０の縦断面図である。
【考案を実施するための形態】
【００５５】
〔第１の実施の形態〕
以下、本考案の第１の実施の形態を説明する。図１及び図２は、本実施の形態を示す図である。
【００５６】
まず、本実施の形態の構成を説明する。
図１は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【００５７】
薬剤供給補助具１０は、ソフトコンタクトレンズと同一の材質で構成されている。薬剤供給補助具１０は、図１に示すように、公知のソフトコンタクトレンズと同様に眼球の表面形状に沿った球面形状であり、全体として球殻形状となっている。その後面は、眼球の表面にフィットするように眼球の表面と同一又は近い曲率となる球面形状となっている。また、平面形状が全体としてやや縦長楕円形状となっている。公知のソフトコンタクトレンズと異なる点の一つはサイズが大きい点であり、装着時に眼瞼裏側の深部にまで及ぶ領域を有している。
【００５８】
薬剤供給補助具１０の中央には、角膜領域（装着時に角膜に位置する領域）を開口する貫通孔１２が形成されている。貫通孔１２の径は、角膜よりも大径（１．２倍程度）となっている。
【００５９】
薬剤供給補助具１０には、複数（図１の例では７つ）のプール１９ａ〜１９ｇが、貫通孔１２の外周に沿って形成されている。プール１９ａ〜１９ｇは、眼球の表面上で流動する薬剤が流入可能な矩形状の開口及びその薬剤を貯留可能な内空を有する貫通孔として形成されている。プール１９ａは左上に、プール１９ｂは右上にそれぞれ位置し、プール１９ａ、１９ｂは装着時に上眼瞼裏側に位置する。プール１９ｃはプール１９ｂの右下に、プール１９ｇはプール１９ａの左下にそれぞれ位置し、プール１９ｃ、１９ｇは装着時に上眼瞼裏側及び角膜の左右結膜に位置する。プール１９ｅは下中央に位置し、装着時に下眼瞼裏側に位置する。プール１９ｄはプール１９ｅの右上に、プール１９ｆはプール１９ｅの左上にそれぞれ位置し、プール１９ｄ、１９ｆは装着時に下眼瞼裏側及び角膜の左右結膜に位置する。
【００６０】
プール１９ａ〜１９ｇは径方向の長さが同程度となっている。また、プール１９ａ〜１９ｄ、１９ｆ、１９ｇは周方向の長さが同程度となっているのに対し、プール１９ｅは周方向の長さがプール１９ａの約２倍となっている。そして、プール１９ａ〜１９ｇは、貫通孔１２の外周に沿って周方向に均等に配置されている。例えば、プール１９ａ〜１９ｄ、１９ｆ、１９ｇの周方向の長さをＬ１、プール１９ｅの周方向の長さをＬ２、プール１９ａ〜１９ｇの周方向の間隔をｄ、プール１９ａ〜１９ｇの全周の長さをＲとすると、Ｒ＝（Ｌ１＋ｄ）×８、Ｌ２＝Ｌ１×２＋ｄの関係が成り立つ。
【００６１】
次に、本実施の形態の動作を説明する。
図２は、薬剤供給補助具１０の使用方法を説明するための図であり、（ａ）は眼２０の正面図、（ｂ）は眼２０の縦断面図である。図２（ａ）中、点線で示す最外円は結膜の外縁を示している。
【００６２】
使用者は、図２に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａ、１９ｂの開口及びプール１９ｃ、１９ｇの開口の一部を前後に閉鎖するので、点眼された薬剤は、プール１９ａ〜１９ｃ、１９ｇに貯留され、時間をかけて結膜や角膜等の部位にその成分が供給される。同様に、下眼瞼結膜２６ｂ及び眼球の表面が蓋となってプール１９ｅの開口及びプール１９ｄ、１９ｆの開口の一部を前後に閉鎖するので、点眼された薬剤は、プール１９ｄ〜１９ｆに貯留され、時間をかけて結膜や角膜等の部位にその成分が供給される。
【００６３】
次に、本実施の形態の効果を説明する。
本実施の形態では、薬剤供給補助具１０は、眼球の表面上で流動する薬剤が流入可能な開口及びその薬剤を貯留可能な内空を有する貫通孔であるプール１９ａ〜１９ｇが、装着時に角膜２４に位置する領域の外周に沿って複数形成されている。
【００６４】
これにより、薬剤と薬剤供給補助具１０との組み合わせを選択又は変更等することができる。例えば、薬剤を使い切った場合は、薬剤供給補助具１０に薬剤を追加することができる。また例えば、他の薬剤を用いたい場合は、薬剤供給補助具１０ごと交換し、新たな薬剤供給補助具１０に他の薬剤を適用することができる。したがって、従来に比して、薬剤の使い切りや変更等への対応が容易となる。また、プール１９ａ〜１９ｇに貯留された薬剤が時間をかけて供給されるので、長時間にわたって薬剤を供給することができる。さらに、角膜２４に位置する領域の外周に沿って複数のプール１９ａ〜１９ｇが形成されているので、角膜２４外側の部位に薬剤を効果的に供給することができるとともに、同一の領域を１つのプールで構成する場合に比して、薬剤の偏りが少なくなり、一部の部位に薬剤が供給されない可能性又は度合いを低減することができる。
【００６５】
さらに、本実施の形態では、装着時に上眼瞼裏側に位置するプール１９ａ、１９ｂの数が下眼瞼裏側に位置するプール１９ｅの数よりも多い。
【００６６】
これにより、重力及び上眼瞼の動作等により上眼瞼裏側の方が下眼瞼裏側よりも薬剤がプールから溢れ出やすいので、上眼瞼裏側のプール１９ａ、１９ｂの数を下眼瞼裏側のプール１９ｅの数よりも多くすることで上眼瞼裏側の薬剤の貯留効率が低下する可能性を低減することができる。
【００６７】
さらに、本実施の形態では、装着時に下眼瞼裏側に位置するプール１９ｅの容量が上眼瞼裏側に位置するプール１９ａ、１９ｂの各容量よりも大きい。
【００６８】
これにより、重力により及び瞬目の影響が少ないことにより下眼瞼裏側の方が上眼瞼裏側よりも薬剤が滞留しやすいので、下眼瞼裏側のプール１９ｅの容量を上眼瞼裏側のプール１９ａ、１９ｂの各容量よりも大きくすることで薬剤が貯留されやすい。
【００６９】
さらに、本実施の形態では、装着時に角膜２４の左右結膜に位置する領域にプール１９ｃ、１９ｄ、１９ｆ、１９ｇが形成されている。
【００７０】
これにより、眼瞼裂に薬剤を効果的に供給することができる。
さらに、本実施の形態では、角膜２４に位置する領域の外周に沿って複数のプール１９ａ〜１９ｇが周方向に均等に配置されている。
【００７１】
これにより、薬剤供給補助具１０が眼球の表面上で回転した場合、眼瞼や眼球のある箇所から一のプールが遠ざかっても他のプールが近づくことになり、回転による影響を低減することができる。
【００７２】
さらに、本実施の形態では、装着時に上眼瞼結膜２６ａ及び眼球の表面が蓋となってプール１９ａ、１９ｂの開口及びプール１９ｃ、１９ｇの開口の一部が閉鎖される。
【００７３】
これにより、プール１９ａ〜１９ｃ、１９ｇに薬剤が貯留されやすい。
さらに、本実施の形態では、装着時に下眼瞼結膜２６ｂ及び眼球の表面が蓋となってプール１９ｅの開口及びプール１９ｄ、１９ｆの開口の一部が閉鎖される。
【００７４】
これにより、プール１９ｄ〜１９ｆに薬剤が貯留されやすい。
さらに、本実施の形態では、薬剤供給補助具１０は、平面形状が全体としてやや縦長楕円形状となっている。
【００７５】
これにより、平面形状が非円形状である楕円形状となっているので、円形状の構成に比して、眼瞼や眼球の動き等により薬剤供給補助具１０が眼球の表面上で回転する可能性又は度合いを低減することができる。特に、縦長楕円形状となっているので、結膜の深部まで薬剤を供給しやすい。また、平面形状に角部を有さないので、眼瞼や眼球への干渉が生じる可能性又は度合いを低減することができる。眼瞼や眼球への干渉としては、例えば、眼瞼や眼球に障害を与えること、異物感を増加させることが考えられる。
【００７６】
本実施の形態において、薬剤供給補助具１０は、考案１、２、５乃至９の眼用器具、又は考案１６の眼用装着物に対応している。
【００７７】
〔第２の実施の形態〕
次に、本考案の第２の実施の形態を説明する。図３及び図４は、本実施の形態を示す図である。なお、以下、上記第１の実施の形態と異なる部分についてのみ説明し、重複する部分については同一の符号を付して説明を省略する。
【００７８】
まず、本実施の形態の構成を説明する。
図３は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【００７９】
薬剤供給補助具１０には、図３に示すように、複数（図３の例では２つ）のプール１９ａ、１９ｅが、貫通孔１２の外周に沿って形成されている。プール１９ａ、１９ｅは、眼球の表面上で流動する薬剤が流入可能な横長楕円形状の開口及びその薬剤を貯留可能な内空を有する貫通孔として形成されている。プール１９ａは上中央に位置し、装着時に上眼瞼裏側に位置する。プール１９ｅは下中央に位置し、装着時に下眼瞼裏側に位置する。
【００８０】
プール１９ａ、１９ｅは径方向の長さが同程度となっている。また、プール１９ａは周方向の長さが貫通孔１２の直径と同程度となっているのに対し、プール１９ｅは周方向の長さがプール１９ａの約１．５倍となっている。
【００８１】
次に、本実施の形態の動作を説明する。
図４は、薬剤供給補助具１０の使用方法を説明するための図であり、（ａ）は眼２０の正面図、（ｂ）は眼２０の縦断面図である。図４（ａ）中、点線で示す最外円は結膜の外縁を示している。
【００８２】
使用者は、図４に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａの開口を前後に閉鎖するので、点眼された薬剤は、プール１９ａに貯留され、時間をかけて結膜や角膜等の部位にその成分が供給される。同様に、下眼瞼結膜２６ｂ及び眼球の表面が蓋となってプール１９ｅの開口を前後に閉鎖するので、点眼された薬剤は、プール１９ｅに貯留され、時間をかけて結膜や角膜等の部位にその成分が供給される。
【００８３】
次に、本実施の形態の効果を説明する。
本実施の形態では、装着時に下眼瞼裏側に位置するプール１９ｅの容量が上眼瞼裏側に位置するプール１９ａの容量よりも大きい。
【００８４】
これにより、重力により及び瞬目の影響が少ないことにより下眼瞼裏側の方が上眼瞼裏側よりも薬剤が滞留しやすいので、下眼瞼裏側のプール１９ｅの容量を上眼瞼裏側のプール１９ａの容量よりも大きくすることで薬剤が貯留されやすい。
【００８５】
〔第３の実施の形態〕
次に、本考案の第３の実施の形態を説明する。図５及び図６は、本実施の形態を示す図である。なお、以下、上記第１及び第２の実施の形態と異なる部分についてのみ説明し、重複する部分については同一の符号を付して説明を省略する。
【００８６】
まず、本実施の形態の構成を説明する。
図５は、薬剤供給補助具１０の外観形状を示す図であり、（ａ）は薬剤供給補助具１０の正面図、（ｂ）は正面からみた薬剤供給補助具１０の斜視図、（ｃ）は薬剤供給補助具１０の側面図である。
【００８７】
薬剤供給補助具１０には、図５に示すように、複数（図５の例では４つ）のプール１９ａ〜１９ｃ、１９ｅが、貫通孔１２の外周に沿って形成されている。プール１９ｂは、眼球の表面上で流動する薬剤が流入可能な円形状の開口及びその薬剤を貯留可能な内空を有する貫通孔として形成されている。プール１９ａ、１９ｃは、眼球の表面上で流動する薬剤が流入可能なやや横長楕円形状の開口及びその薬剤を貯留可能な内空を有する貫通孔として形成されている。プール１９ｅは、眼球の表面上で流動する薬剤が流入可能な横長楕円形状の開口及びその薬剤を貯留可能な内空を有する貫通孔として形成されている。プール１９ｂは上中央に、プール１９ａはプール１９ｂの左下に、プール１９ｃはプール１９ｂの右下にそれぞれ位置し、プール１９ａ〜１９ｃは装着時に上眼瞼裏側に位置する。プール１９ｅは下中央に位置し、装着時に下眼瞼裏側に位置する。
【００８８】
プール１９ａ〜１９ｃ、１９ｅは径方向の長さが同程度となっている。また、プール１９ａ〜１９ｃは周方向の長さが全体で貫通孔１２の直径と同程度となっており、プール１９ａ、１９ｃはプール１９ｂよりもやや長くなっている。これに対し、プール１９ｅは周方向の長さが上記第２の実施の形態におけるプール１９ｅと同程度となっている。
【００８９】
次に、本実施の形態の動作を説明する。
図６は、薬剤供給補助具１０の使用方法を説明するための図であり、（ａ）は眼２０の正面図、（ｂ）は眼２０の縦断面図である。図６（ａ）中、点線で示す最外円は結膜の外縁を示している。
【００９０】
使用者は、図６に示すように、薬剤供給補助具１０を装着する。薬剤供給補助具１０は、貫通孔１２で角膜２４全体を囲い、貫通孔１２が瞳孔２２と同心円状となるように装着する。次に、使用者は、薬剤供給補助具１０上に点眼薬を点眼する。装用時は、上眼瞼結膜２６ａ及び眼球の表面が蓋となってプール１９ａ〜１９ｃの開口を前後に閉鎖するので、点眼された薬剤は、プール１９ａ〜１９ｃに貯留され、時間をかけて結膜や角膜等の部位にその成分が供給される。同様に、下眼瞼結膜２６ｂ及び眼球の表面が蓋となってプール１９ｅの開口を前後に閉鎖するので、点眼された薬剤は、プール１９ｅに貯留され、時間をかけて結膜や角膜等の部位にその成分が供給される。
【００９１】
次に、本実施の形態の効果を説明する。
本実施の形態では、装着時に上眼瞼裏側に位置するプール１９ａ〜１９ｃの数が下眼瞼裏側に位置するプール１９ｅの数よりも多い。
【００９２】
これにより、重力及び上眼瞼の動作等により上眼瞼裏側の方が下眼瞼裏側よりも薬剤がプールから溢れ出やすいので、上眼瞼裏側のプール１９ａ〜１９ｃの数を下眼瞼裏側のプール１９ｅの数よりも多くすることで上眼瞼裏側の薬剤の貯留効率が低下する可能性を低減することができる。
【００９３】
さらに、本実施の形態では、装着時に下眼瞼裏側に位置するプール１９ｅの容量が上眼瞼裏側に位置するプール１９ａ〜１９ｃの各容量よりも大きい。
【００９４】
これにより、重力により及び瞬目の影響が少ないことにより下眼瞼裏側の方が上眼瞼裏側よりも薬剤が滞留しやすいので、下眼瞼裏側のプール１９ｅの容量を上眼瞼裏側のプール１９ａ〜１９ｃの各容量よりも大きくすることで薬剤が貯留されやすい。
【００９５】
〔第４の実施の形態〕
次に、本考案の第４の実施の形態を説明する。図７及び図８は、本実施の形態を示す図である。なお、以下、上記第３の実施の形態と異なる部分についてのみ説明し、重複する部分については同一の符号を付して説明を省略する。
【００９６】
まず、本実施の形態の構成を説明する。
図７は、薬剤４０の形状を示す図であり、（ａ）は薬剤４０の正面図、（ｂ）は正面からみた薬剤４０の斜視図、（ｃ）は背面からみた薬剤４０の斜視図、（ｄ）は（ａ）のＡ−Ａ線に沿った断面図である。
【００９７】
薬剤４０は、図７に示すように、扁平楕円板状に形成されている。薬剤４０の後面は、薬剤供給補助具１０の前面にフィットするように薬剤供給補助具１０の前面と同一又は近い曲率となる球面形状となっている。薬剤４０の後面には、楕円形状の吸盤孔４２が形成されている。吸盤孔４２は吸盤構造となっている。
【００９８】
次に、本実施の形態の動作を説明する。
図８は、薬剤供給補助具１０の使用方法を説明するための図であり、（ａ）は眼２０の正面図、（ｂ）は眼２０の縦断面図である。図８（ａ）中、点線で示す最外円は結膜の外縁を示している。
【００９９】
使用者は、まず、図８に示すように、薬剤４０の後面を薬剤供給補助具１０の前面に押し当てると、吸盤孔４２の吸盤室内が陰圧となって吸盤孔４２が薬剤供給補助具１０の前面に吸着し、薬剤４０が薬剤供給補助具１０に装着される。次に、使用者は、薬剤供給補助具１０を装着する。薬剤供給補助具１０は、貫通孔１２で角膜２４全体を囲い、貫通孔１２が瞳孔２２と同心円状となるように装着する。装用時は、上眼瞼結膜２６ａ及び眼球の表面が蓋となってプール１９ａ〜１９ｃの開口を前後に閉鎖するので、薬剤供給補助具１０に装着された薬剤４０が溶け出すと、プール１９ａ〜１９ｃにその成分が貯留され、時間をかけて結膜や角膜等の部位にその成分が供給される。同様に、下眼瞼結膜２６ｂ及び眼球の表面が蓋となってプール１９ｅの開口を前後に閉鎖するので、溶け出した薬剤は、プール１９ｅに貯留され、時間をかけて結膜や角膜等の部位にその成分が供給される。
【０１００】
次に、本実施の形態の効果を説明する。
本実施の形態では、薬剤４０は、薬剤供給補助具１０に吸着する吸盤構造を有する吸盤孔４２を備える。
【０１０１】
これにより、吸盤により薬剤４０が薬剤供給補助具１０に装着されるので、薬剤４０と薬剤供給補助具１０との組み合わせを選択又は変更等することができる。例えば、薬剤４０を使い切った場合は、薬剤供給補助具１０に新たな薬剤４０を装着することができる。また例えば、他の薬剤４０を用いたい場合は、薬剤供給補助具１０ごと交換し、新たな薬剤供給補助具１０に他の薬剤４０を装着することができる。したがって、従来に比して、薬剤４０の使い切りや変更等への対応が容易となる。
【０１０２】
本実施の形態において、薬剤供給補助具１０は、考案１、２、５乃至９、１１、１３若しくは１４の眼用器具、又は考案１６の眼用装着物に対応し、吸盤孔４２は、考案１３の吸着手段、又は考案１１、１３若しくは１４の装着手段に対応している。
【０１０３】
〔変形例〕
なお、上記第４の実施の形態の変形例として、次の構成を採用することができる。以下の構成中、眼用装着物、眼用器具及び装着手段のバリエーションについては、上記第４の実施の形態及びその変形例を採用することができる。
【０１０４】
〔１層構造：１層目内装着構成〕
この構成は、眼球に装着する吸盤構造その他の装着手段を有する眼用装着物（１層目）を備え、眼用装着物を眼球に装着する構成である。
【０１０５】
〔２層構造：２層目内装着構成〕
この構成は、眼球に装着可能な眼用器具（１層目）と、眼用器具に装着する吸盤構造その他の装着手段を有する眼用装着物（２層目）とを備え、眼用装着物を眼用器具に装着する構成である。上記第４の実施の形態がこの構成である。
【０１０６】
〔２層構造：１層目外装着構成〕
この構成は、眼用装着物（２層目）と、眼用装着物に装着する吸盤構造その他の装着手段を有し眼球に装着可能な眼用器具（１層目）とを備え、眼用装着物を眼用器具に装着する構成である。例えば、図９の変形例を採用することができる。
【０１０７】
図９の変形例は、薬剤供給補助具１０に吸盤構造を設けた構成である。
図９は、薬剤４０及び薬剤供給補助具１０の縦断面図である。
【０１０８】
薬剤４０は、図９に示すように、扁平円板状に形成されている。薬剤供給補助具１０の前面には吸盤孔１０ａが形成されている。吸盤孔１０ａは、薬剤４０よりもやや小径で吸盤構造となっている。これにより、薬剤４０の後面を薬剤供給補助具１０の前面に押し当てると、吸盤孔１０ａの吸盤室内が陰圧となって吸盤孔１０ａが薬剤４０の後面に吸着し、薬剤４０が薬剤供給補助具１０に装着される。
【０１０９】
〔２層構造：１、２層両装着構成〕
この構成は、眼球に装着可能な眼用器具（１層目）と、眼用装着物（２層目）と、眼用器具及び眼用装着物を装着する吸盤構造その他の装着手段とを備え、眼用装着物を眼用器具に装着する構成である。眼用器具の装着手段及び眼用装着物の装着手段がそれぞれ相手に装着する構成（〔２層構造：２層目内装着構成〕及び〔２層構造：１層目外装着構成〕）のほか、眼用器具の装着手段及び眼用装着物の装着手段が雄及び雌のように対応して装着する構成が含まれる。
【０１１０】
〔３層構造：２層目両装着構成〕
この構成は、眼球に装着可能な眼用器具（１層目）と、眼用装着物（３層目）と、眼用器具及び眼用装着物に装着する吸盤構造その他の装着手段を有する眼用アダプタ（２層目）とを備え、眼用アダプタを介して眼用装着物を眼用器具に装着する構成である。例えば、図１０の変形例を採用することができる。
【０１１１】
図１０の変形例は、眼用アダプタ５０の前面及び後面に吸盤構造を設けた構成である。
図１０は、薬剤４０、眼用アダプタ５０及び薬剤供給補助具１０の縦断面図である。
【０１１２】
薬剤４０は、図１０に示すように、扁平円板状に形成されている。薬剤４０は、眼用アダプタ５０を介して薬剤供給補助具１０に装着される。眼用アダプタ５０の前面には吸盤孔５０ａが、後面には吸盤孔５０ｂがそれぞれ形成されている。吸盤孔５０ａは、薬剤４０よりもやや小径で吸盤構造となっている。吸盤孔５０ｂは吸盤構造となっている。これにより、薬剤４０の後面を眼用アダプタ５０の前面に押し当てると、吸盤孔５０ａの吸盤室内が陰圧となって吸盤孔５０ａが薬剤４０の後面に吸着し、薬剤４０が眼用アダプタ５０に装着される。次に、眼用アダプタ５０の後面を薬剤供給補助具１０の前面に押し当てると、吸盤孔５０ｂの吸盤室内が陰圧となって吸盤孔５０ｂが薬剤供給補助具１０の前面に吸着し、眼用アダプタ５０を介して薬剤４０が薬剤供給補助具１０に装着される。
【０１１３】
〔３層構造：２層目内装着構成〕
この構成は、眼球に装着可能な眼用器具（１層目）と、眼用装着物（３層目）と、眼用器具に装着する吸盤構造その他の装着手段を有する眼用アダプタ（２層目）とを備え、眼用アダプタを介して眼用装着物を眼用器具に装着する構成である。眼用アダプタ及び眼用装着物は吸着以外の方法で接合する。ここで、眼用アダプタ及び眼用器具の関係は〔２層構造：２層目内装着構成〕と同じである。例えば、図１１の変形例を採用することができる。
【０１１４】
図１１の変形例は、眼用アダプタ５０の後面に吸盤構造を設けた構成である。
図１１は、薬剤４０、眼用アダプタ５０及び薬剤供給補助具１０の縦断面図である。
【０１１５】
図１０の変形例では、眼用アダプタ５０の前面に吸盤孔５０ａを形成したが、図１１の変形例では、吸盤孔５０ａを形成せず、薬剤４０の後面と眼用アダプタ５０の前面を接着等により接合する。その他、薬剤４０を表面張力により眼用アダプタ５０の前面に取り付けてもよい。
【０１１６】
〔３層構造：２層目外装着構成〕
この構成は、眼球に装着可能な眼用器具（１層目）と、眼用装着物（３層目）と、眼用装着物に装着する吸盤構造その他の装着手段を有する眼用アダプタ（２層目）とを備え、眼用アダプタを介して眼用装着物を眼用器具に装着する構成である。眼用アダプタ及び眼用器具は吸着以外の方法で接合する。ここで、眼用アダプタ及び眼用装着物の関係は〔２層構造：１層目外装着構成〕と同じである。例えば、図１０の変形例では、眼用アダプタ５０の後面に吸盤孔５０ｂを形成したが、吸盤孔５０ｂを形成せず、眼用アダプタ５０の後面と薬剤供給補助具１０の前面を接着等により接合する。その他、眼用アダプタ５０を表面張力により薬剤供給補助具１０の前面に取り付けてもよい。
【０１１７】
〔前後方向外装着構成〕
この構成は、水平方向、上下方向その他前後方向以外の方向に眼用装着物同士を装着し、装着した複数の眼用装着物を眼用器具又は眼球に装着する構成である。
【０１１８】
また、上記第１乃至第４の実施の形態及びその変形例においては、プール１９ａ〜１９ｇの形状等を例示したが、これに限らず、プールは、任意の数、任意の大きさ、任意の形状で、任意の箇所に構成することができる。例えば、ブリッジ部を格子状に形成することにより複数のプールをアレイ状に形成することもできる。また、プールは、薬剤供給補助具１０の厚さ方向に複数形成することもでき、例えば、前面を開口とする第１プールと、後面を開口とする第２プールとを厚さ方向に対向して形成することができる。また、プールは、前後方向に貫通する領域（例えば、貫通孔）として形成することもでき、前面を開口とする凹部（一部又は全部が底となる場合を含む。以下、同様である。）又は後面を開口とする凹部（以下これらを総称して「凹部」という。）として形成することもできる。他の形状として、袋状、壺状、窟状、路状、ケース状、又は薬剤を挟むサンドイッチ状に形成することもできる。また、プールの深さ方向が薬剤供給補助具１０の径方向となるように薬剤供給補助具１０の周面に形成することもできる。また、プールは、薬剤供給補助具１０の面方向に開口させることもできる。また、薬剤供給補助具１０上に点眼薬を点眼する場合、又は薬剤４０を装着する場合に限らず、薬剤供給補助具１０上（プール１９ａ〜１９ｇ上を含む。）に軟膏薬を塗布することによっても、長時間にわたる薬剤の供給を実現することができる。
【０１１９】
また、上記第１乃至第４の実施の形態及びその変形例においては、薬剤供給補助具１０の厚さについて特に説明しなかったが、例えば、プール１９ａ〜１９ｇの径が同一であれば深いほど薬剤の貯留容量が増すので、例えば、プール１９ａ〜１９ｇの深さが２倍程度になるように薬剤供給補助具１０の厚さをこれに合わせて２倍程度に設定した構成を採用することもできる。もっとも、薬剤供給補助具１０の厚さ及びプール１９ａ〜１９ｇの深さは特に限定されるものではなく、任意の厚さ及び深さに設定することができる。
【０１２０】
また、上記第１及び第４の実施の形態並びにその変形例においては、１つのプールを１又は多岐のブリッジ部で複数のプールに区画することもできる。これにより、複数のプールに薬剤が貯留されるので、同一の領域を１つのプールで構成する場合に比して、薬剤の偏りが少なくなり、一部の部位に薬剤が供給されない可能性又は度合いを低減することができる。
【０１２１】
また、上記第１乃至第４の実施の形態及びその変形例において、薬剤供給補助具１０は、装着時に眼瞼裏側の結膜（眼瞼結膜又は球結膜）に位置する領域を有して構成したが、これに限らず、結膜円蓋部領域（装着時に結膜円蓋部に位置する領域）を有して構成することもできる。これにより、結膜円蓋部領域に薬剤を貯留、設置等することができる。
【０１２２】
また、上記第４の実施の形態及びその変形例においては、薬剤４０を薬剤供給補助具１０に装着した後、薬剤供給補助具１０を眼２０に装着する装着方法を説明したが、これに限らず、薬剤供給補助具１０を眼２０に装着した後、薬剤４０を薬剤供給補助具１０に装着する装着方法を採用することもできる。
【０１２３】
また、上記第１乃至第４の実施の形態及びその変形例においては、薬剤供給補助具１０を眼球に直接装着したが、これに限らず、１又は複数の媒体（例えば、部材）を介して薬剤供給補助具１０を間接的に眼球に装着することもできる。例えば、図１２の変形例を採用することができる。
【０１２４】
図１２は、コンタクトレンズ６０の縦断面図である。
コンタクトレンズ６０は、図１２に示すように、ソフトコンタクトレンズからなる内レンズ６２と、内レンズ６２の前面に対面して配置されるソフトコンタクトレンズからなる外レンズ６４とを有して構成されている。内レンズ６２及び外レンズ６４は、ソフトコンタクトレンズとして従来周知の基本形状であり、全体として球殻形状となっている。
【０１２５】
内レンズ６２及び外レンズ６４は開閉可能に下端が接合されている。内レンズ６２と外レンズ６４の接合部６６以外は開口しており、被収容物は、この開口から挿入可能となっている。コンタクトレンズ６０は、内レンズ６２及び外レンズ６４を一体成形により製造することができる。なお、内レンズ６２及び外レンズ６４の一方又は両方には、薬剤４０の成分を通過させるための孔（貫通孔又は凹部）（以下「薬剤通過孔」という。）を形成することもできる。
【０１２６】
薬剤供給補助具１０は、内レンズ６２及び外レンズ６４と同様に全体として球殻形状となっている。具体的には、薬剤供給補助具１０の後面は、内レンズ６２の前面にフィットするように内レンズ６２の前面と同一又は近い曲率となる球面形状となっている。同様に、薬剤供給補助具１０の前面は、外レンズ６４の後面にフィットするように外レンズ６４の後面と同一又は近い曲率となる球面形状となっている。
【０１２７】
使用者は、内レンズ６２と外レンズ６４との間を開き、外レンズ６４の後面に薬剤供給補助具１０を取り付け、内レンズ６２と外レンズ６４との間を閉じる。これにより、薬剤供給補助具１０は、内レンズ６２の前面と外レンズ６４の後面との間で挟持される。そして、使用者は、薬剤供給補助具１０を挟持した状態でコンタクトレンズ６０を装着する。装用時は、薬剤４０が溶け出すと、内レンズ６２及び外レンズ６４の境界から流出し又は内レンズ６２若しくは外レンズ６４の薬剤通過孔を通過して結膜や角膜等の部位にその成分が供給される。
【０１２８】
なお、図１２の変形例は、薬剤４０を装着する場合に限定されるものではなく、薬剤供給補助具１０上に点眼薬を点眼する場合、又は薬剤供給補助具１０上（プール１９ａ〜１９ｇ上を含む。）に軟膏薬を塗布する場合についても同様に適用することができる。また、コンタクトレンズ６０は、内レンズ６２だけの構成とすることもできる。この場合、薬剤供給補助具１０は、吸着その他の装着手段により内レンズ６２の前面に装着し、内レンズ６２を介して眼球に装着する。また、コンタクトレンズ６０は、外レンズ６４だけの構成とすることもできる。この場合、薬剤供給補助具１０は、吸着その他の装着手段により外レンズ６４の後面に装着し、眼球に直接装着する。また、内レンズ６２又は外レンズ６４として、市販のコンタクトレンズを利用することもできるし、１又は複数の薬剤通過孔を形成した孔空きコンタクトレンズを利用することもできる。薬剤通過孔は、内レンズ６２及び外レンズ６４の一方又は両方に設けることができ、任意の数、任意の大きさ、任意の形状で、任意の箇所に設けることができる。
【０１２９】
また、上記第４の実施の形態及びその変形例においては、薬剤４０の形状を例示したが、これに限らず、扁平中実円板状、シート状、直方体状、板状、棒状又はアーム状その他の幾何学形状など、任意の形状を採用することができる。
【０１３０】
また、上記第４の実施の形態及びその変形例においては、薬剤４０の数、大きさ、形状及び装着位置を例示したが、これに限らず、薬剤４０は、任意の数、任意の大きさ、任意の形状で、任意の箇所に装着することができる。例えば、プール１９ａ〜１９ｇに薬剤４０を装着することもできる。この場合、プール１９ａ〜１９ｇは、薬剤４０が挿入可能な開口並びに薬剤４０を装着及び貯留可能な内空を有する孔（貫通孔又は凹部）として形成する。
【０１３１】
また、上記第４の実施の形態及びその変形例においては、薬剤４０の後面から窪む凹型の吸盤構造としたが、これに限らず、薬剤４０の後面から突出する凸型の吸盤構造とすることもできる。すなわち、吸盤構造として凹型の吸盤構造又は凸型の吸盤構造を採用することができる。
【０１３２】
また、上記第４の実施の形態及びその変形例においては、薬剤４０に楕円形状の吸盤孔４２を形成したが、これに限らず、吸盤孔４２は、任意の数、任意の大きさ、任意の形状で、任意の箇所に形成することができる。例えば、薬剤４０の後面全体を吸盤構造とすることができる。すなわち、吸盤構造は、任意の数、任意の大きさ、任意の形状で、任意の箇所に設けることができる。
【０１３３】
また、上記第４の実施の形態及びその変形例においては、吸盤孔４２の材質について説明しなかったが、薬剤４０よりも溶解速度が遅い可溶性の材質で構成することができる。これにより、吸盤孔４２を薬剤４０とともに溶解させることができるとともに、薬剤４０の溶解に伴って吸盤孔４２の吸盤効果が失われる度合いを低減することができる。
【０１３４】
また、上記第４の実施の形態及びその変形例においては、吸盤構造により薬剤４０を薬剤供給補助具１０に装着したが、これに限らず、吸盤構造以外の吸着手段により薬剤４０を装着することもでき、さらには吸着以外の装着手段により薬剤４０を装着することもできる。装着手段は任意である。吸着以外の装着手段としては、例えば、粘着、接着、表面張力による取り付け、ヒンジ構造、ねじ構造、かしめ構造、ソケット構造、インロー嵌合構造、嵌め込み構造、差し込み構造、組み付け構造、連結構造その他任意の結合構造を採用することができる。ねじ構造としては、例えば、（１）薬剤供給補助具１０及び薬剤４０を貫通する雌ねじを形成し、これに雄ねじをねじ込んで接合する構造、（２）薬剤供給補助具１０及び薬剤４０の一方に雄ねじを形成し、他方に雌ねじを形成し、一方を他方にねじ込んで接合する構造を採用することができる。嵌め込み構造としては、例えば、薬剤供給補助具１０及び薬剤４０の一方に突起を形成し、この突起を受けるための孔（貫通孔又は凹部）を他方に形成し、一方を他方に嵌め込んで接合する構造を採用することができる。差し込み構造としては、例えば、薬剤供給補助具１０及び薬剤４０の一方に、他方に差し込み可能な突起（例えば、先端を尖らせた形状等の突起）を形成し、一方を他方に差し込んで接合する構造を採用することができる。連結構造としては、例えば、継手、連結器その他の連結手段で薬剤供給補助具１０及び薬剤４０を連結する構造を採用することができる。また、結合構造として、例えば、（１）薬剤供給補助具１０及び薬剤４０を直接結合する構造、（２）１又は複数の媒体（例えば、部材）を介して薬剤供給補助具１０及び薬剤４０を間接的に結合する構造を採用することができる。また、結合構造として、例えば、（１）薬剤供給補助具１０又は薬剤４０が取り外し可能な構造を採用することもでき、（２）さらに薬剤供給補助具１０又は薬剤４０が再結合可能な構造を採用することもできる。
【０１３５】
また、上記第４の実施の形態及びその変形例においては、薬剤供給補助具１０の前面に薬剤４０を装着したが、これに限らず、薬剤供給補助具１０の後面に薬剤４０を装着することもできる。
【０１３６】
また、上記第４の実施の形態及びその変形例においては、薬剤４０にレンズを設けなかったが、これに限らず、薬剤４０の一部をレンズで構成することもできる。
【０１３７】
また、上記第４の実施の形態及びその変形例においては、薬剤供給補助具１０に薬剤４０を装着したが、これに限らず、薬剤４０を装着しなくてもよい。この場合、例えば、特許文献１記載のコンタクトレンズのように、薬剤４０の成分を原料樹脂内に混入して薬剤供給補助具１０を構成することができる。また例えば、薬剤供給補助具１０に代えて、薬剤供給補助具１０と同様の形状に形成した薬剤その他の眼用装着物を用いることができる。
【０１３８】
また、上記第１乃至第４の実施の形態及びその変形例において、薬剤供給補助具１０は、ソフトコンタクトレンズと同一の材質で構成したが、これに限らず、ハードコンタクトレンズと同一の材質その他の材質で構成することもできる。例えば、薬剤その他の眼用装着物として構成することができる。
【０１３９】
また、上記第１乃至第４の実施の形態及びその変形例において、薬剤供給補助具１０は、平面形状を全体としてやや縦長楕円形状に形成したが、これに限らず、任意の形状を採用することができる。例えば、全体として非円形状に形成すれば、眼瞼や眼球の動き等により薬剤供給補助具１０が眼球の表面上で回転する可能性又は度合いを低減することができる。また、全体として横長楕円形状に形成すれば、結膜炎等の症状時に眼瞼結膜への干渉が生じる可能性又は度合いを低減することができる。このほか、薬剤供給補助具１０の全体の大きさについても任意の大きさを採用することができる。
【０１４０】
また、上記第１乃至第４の実施の形態及びその変形例において、貫通孔１２は、角膜領域を開口する孔として形成したが、これに限らず、任意の数、任意の大きさ、任意の形状で、任意の箇所に形成することができる。例えば、貫通孔１２は、少なくとも瞳孔領域（装着時に瞳孔２２に位置する領域）を開口する孔として形成することもできるし、薬剤供給補助具１０の面方向に開口させることもできる。また、眼球の動き量は上下方向よりも左右方向の方が大きいので、角膜２４への干渉が生じる可能性又は度合いを低減する観点からは、貫通孔１２の幅（横方向の長さ）は貫通孔１２の高さ（縦方向の長さ）よりも大きくする構成を採用することができる。同様の観点から、眼球の上下方向の動き量は下方向よりも上方向の方が大きいので、貫通孔１２において装着時に正面を向いた角膜２４の中心に位置する基準点から上端までの長さは、同基準点から下端までの長さよりも大きくする構成を採用することができる。この２点を考慮すると、貫通孔１２は、例えば、上部が膨張する横長楕円形状（幅が高さよりも大きく、基準点から上端までの長さが下端までの長さよりも大きい形状）とする構成を採用することができる。この場合、眼瞼や眼球の動き等により薬剤供給補助具１０が眼球の表面上で回転すると、角膜２４に対する貫通孔１２の相対位置が変化してしまうので、薬剤供給補助具１０が回転する可能性又は度合いを低減する観点からは、例えば、薬剤供給補助具１０の上縁が上眼瞼結膜円蓋部に、下縁が眼瞼結膜円蓋部に位置（接触又は近接）するように薬剤供給補助具１０の大きさを設定する構成を採用することができる。
【０１４１】
また、上記第１乃至第４の実施の形態及びその変形例において、孔１２は貫通孔として形成したが、これに限らず、凹部として形成することもできる。薬剤の成分が薬剤供給補助具１０を拡散等により透過する場合は、必ずしも貫通している必要はないからである。また、孔１２そのものを設けなくてもよい。
【０１４２】
また、上記第１乃至第４の実施の形態及びその変形例においては、薬剤供給補助具１０の材質について説明しなかったが、可溶性の材質で構成することができる。これにより、薬剤供給補助具１０を薬剤とともに溶解させることができる。この場合、薬剤供給補助具１０の材質として薬剤よりも溶解速度が遅い材質を採用することができる。
【０１４３】
また、上記第４の実施の形態及びその変形例においては、薬剤４０を眼用装着物として採用したが、これに限らず、眼に装着可能な眼用装着物であれば任意の眼用装着物を採用することができる。眼用装着物としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、（５）薬剤、（６）サプリメント、（７）磁性流体、又は（８）その他の眼用装着物を採用することができる。ここで、眼用装着物が電子デバイスの場合、（１）眼に対し情報の提供を行うデバイス（例えば、投影機）、（２）眼に関する情報の収集を行うデバイス（例えば、カメラ、生体センサその他のセンサ）、（３）眼の外側に対し情報の提供を行うデバイス（例えば、ディスプレイ）、（４）眼の外側に関する情報の収集を行うデバイス（例えば、カメラ、生体センサその他のセンサ）、（５）眼に対し機能の維持、回復若しくは付与又は作用を行うデバイス（例えば、医療機器、発光素子、圧電素子、振動素子、発熱素子）、又は（６）眼の外側に対し機能の付与又は作用を行うデバイス（例えば、医療機器、発光素子、圧電素子、振動素子、発熱素子）を採用することができる。また、電子デバイスに代えて光学デバイスその他の眼用デバイスを採用する場合も、同様に上記（１）〜（６）の機能を備えるデバイスを採用することができる。また、眼用装着物がハードコンタクトレンズの場合、ハードコンタクトレンズが眼球に直接接触しにくいので装用感を向上することができる。
【０１４４】
また、上記第１乃至第４の実施の形態及びその変形例においては、薬剤供給補助具１０を眼用器具として採用したが、これに限らず、眼に装着可能な眼用器具であれば任意の眼用器具を採用することができる。眼用器具としては、例えば、（１）電子デバイス、（２）ソフトコンタクトレンズ、ハードコンタクトレンズその他のレンズ、光ファイバー、光導波路、光アイソレータ、半導体レーザ等の光学デバイス、（３）薬剤供給補助具、（４）矯正具、又は（５）その他の眼用器具を採用することができる。また、薬剤供給補助具１０としては、これら（１）〜（５）以外に、眼に装着可能な眼用装着物を採用することができる。眼用装着物としては、例えば、これら（１）〜（５）以外に、（６）薬剤、（７）サプリメント、（８）磁性流体、又は（９）その他の眼用装着物を採用することができる。
【０１４５】
また、上記第４の実施の形態及びその変形例において、眼用装着物は、例えば、粒状に構成することもできる。この場合、粒状の眼用装着物を粘着シートに多数敷き詰め、粘着シートを剣山上に押しつけることにより眼用装着物に吸盤孔を形成することができる。その後、薬剤供給補助具１０の前面に粘着シートを押し当てると、吸盤孔の吸盤室内が陰圧となって吸盤孔が薬剤供給補助具１０の前面に吸着し、眼用装着物が薬剤供給補助具１０に装着される。
【０１４６】
また、上記第１乃至第４の実施の形態及びその変形例においては、本考案に係る眼用器具を眼球の表面に装着したが、これに限らず、例えば、人工水晶体又はその機能を補完するものとして構成し、眼球内に装着することもできる。
【０１４７】
また、上記第１の実施の形態及びその変形例においては、装着時に下眼瞼裏側に位置するプール１９ｅの容量が上眼瞼裏側に位置するプール１９ａ、１９ｂの各容量よりも大きくなっているが、これに限らず、装着時に下眼瞼裏側に位置するプール１９ｅの容量が上眼瞼裏側に位置するプール１９ａ、１９ｂの総容量よりも大きくなっていてもよい。また、下眼瞼裏側に位置するプールが複数の場合、（１）下眼瞼裏側に位置するプールの各容量が上眼瞼裏側に位置するプールの各容量よりも大きい構成、（２）下眼瞼裏側に位置するプールの総容量が上眼瞼裏側に位置するプールの各容量よりも大きい構成、（３）下眼瞼裏側に位置するプールの各容量が上眼瞼裏側に位置するプールの総容量よりも大きい構成、又は（４）下眼瞼裏側に位置するプールの総容量が上眼瞼裏側に位置するプールの総容量よりも大きい構成を採用することができる。その他、下眼瞼裏側に位置する１又は複数のプールの総容量が上眼瞼裏側に位置する１又は複数のプールの総容量よりも大きい構成を採用することができる。
【０１４８】
また、上記第３の実施の形態及びその変形例においては、装着時に下眼瞼裏側に位置するプール１９ｅの容量が上眼瞼裏側に位置するプール１９ａ〜１９ｃの各容量よりも大きくなっているが、これに限らず、装着時に下眼瞼裏側に位置するプール１９ｅの容量が上眼瞼裏側に位置するプール１９ａ〜１９ｃの総容量よりも大きくなっていてもよい。また、下眼瞼裏側に位置するプールが複数の場合、（１）下眼瞼裏側に位置するプールの各容量が上眼瞼裏側に位置するプールの各容量よりも大きい構成、（２）下眼瞼裏側に位置するプールの総容量が上眼瞼裏側に位置するプールの各容量よりも大きい構成、（３）下眼瞼裏側に位置するプールの各容量が上眼瞼裏側に位置するプールの総容量よりも大きい構成、又は（４）下眼瞼裏側に位置するプールの総容量が上眼瞼裏側に位置するプールの総容量よりも大きい構成を採用することができる。その他、下眼瞼裏側に位置する１又は複数のプールの総容量が上眼瞼裏側に位置する１又は複数のプールの総容量よりも大きい構成を採用することができる。
【０１４９】
また、上記第１乃至第４の実施の形態及びその変形例は相互に適用することができる。
また、上記第１乃至第４の実施の形態及びその変形例においては、薬剤供給補助具１０に本考案を適用したが、これに限らず、本考案の主旨を逸脱しない範囲で他の場合にも適用可能である。
【符号の説明】
【０１５０】
１０…薬剤供給補助具、  １０ａ、４２、５０ａ、５０ｂ…吸盤孔、  １２…貫通孔、  １９ａ〜１９ｇ…プール、  ２０…眼、  ２２…瞳孔、  ２４…角膜、  ２６ａ…上眼瞼結膜、  ２６ｂ…下眼瞼結膜、  ４０…薬剤、  ５０…眼用アダプタ、  ６０…コンタクトレンズ、  ６２…内レンズ、  ６４…外レンズ、  ６６…接合部
【図１】
0003219976.tif 000003
【図２】
0003219976.tif 000004
【図３】
0003219976.tif 000005
【図４】
0003219976.tif 000006
【図５】
0003219976.tif 000007
【図６】
0003219976.tif 000008
【図７】
0003219976.tif 000009
【図８】
0003219976.tif 000010
【図９】
0003219976.tif 000011
【図１０】
0003219976.tif 000012
【図１１】
0003219976.tif 000013
【図１２】
0003219976.tif 000014